(57)【要約】【課題】背中部縦中心線位置に沿ってファスナーを位置させる有用性を考慮しながら、ウェットスーツ着用時の首周りの締付感を提携し、使い勝手のよいウェットスーツを得る。【解決手段】開閉装置６を、背中下部３中央から直線状とした直線状部７と、直線状部７に連続して襟口部４の後中央位置４ａから右又は左に偏倚して襟口部４に達するように湾曲する湾曲部８とから設け、首後下部９にウェットスーツ素材が位置してなる伸縮自在領域を配し、襟口部４の後中央位置４ａを経て開閉装置６の上端位置に達する側の端部を首後下部９とともに首周り方向に延長し、この延長部１１を襟帯部１０の他方の端部に止着可能にした。【選択図】　　図１
2004114776.tif 000002
【特許請求の範囲】
【請求項１】
背中下部中央から襟口部に亘って一条のファスナーからなる開閉装置を備えたウェットスーツにおいて、
前記開閉装置は、背中下部中央から背中部縦中心線位置に沿って襟口部側に向けてファスナーの配設形状を直線状とした直線状部と、ファスナーの配設形状を、前記直線状部に連続して襟口部の後中央位置から右又は左に偏倚した位置にして襟口部に達するように湾曲する形状とした湾曲部とからなり、開閉装置の前記直線状部の上端位置から襟口部の後中央位置に亘る首後下部に、ウェットスーツ素材が位置してなる伸縮自在領域を配し、
前記襟口部に沿う襟帯部の端部の内、襟口部の後中央位置を経て前記開閉装置の上端位置に達する側の端部を前記首後下部とともに首周り方向に延長し、該延長部を襟帯部の他方の端部に止着可能にしたことを特徴とするウェットスーツ。
【発明の詳細な説明】
【０００１】
【発明の属する技術分野】
本発明はウェットスーツに関するものである。
【０００２】
【従来の技術】
従来からウェットスーツにおいては、背中側にファスナーによって開け閉めできるようにした開閉装置が設けられており、背中中央から襟口後端に亘るこの開閉装置を大きく開いてウェットスーツを着たり脱いだりしている。ところで、伸縮性の高いウェットスーツ素材に比べてファスナーはその長手方向に伸縮性が低く、そのファスナーが襟首部の後端に位置しているために、ウェットスーツ着用時に前かがみ姿勢や中腰姿勢などをとると、着用者の首周りに圧迫感が加わり易くなっている。そのため、このような首周りへの圧迫感が生じ難くするために、数々の工夫がなされており、例えば、ファスナーを斜めに配置してその上端を襟口部の後端位置から左右いずれかの方向に偏倚した位置に達するようにしたウェットスーツが提案されている（例えば、特許文献１参照）。
【０００３】
【特許文献１】
特開平１１−０９１６８６号公報（図２、図３）
【０００４】
【発明が解決しようとする課題】
しかしながら、一条のファスナーがウェットスーツの背中部において大きく傾斜していることから、そのウェットスーツの背部側の美観か損なわれ易いとともに、背中部で構成するデザインも上下に分断されることになり、上下方向の連続性のあるデザインを実施できないという不都合があった。また、この構成のウェットスーツの腕部分に両腕を通してから背中部のファスナーを閉める時には、背中部のファスナーから上位の部分が後へ大きく捲れており、この状態ではファスナーの一方の歯列が鋭角的に折れ曲がっていてスライダーの引き上げが困難である。これらの点からショートジップタイプのように背中の肩甲骨当たりに対応する高さ位置から襟口部にかけてファスナーを傾斜させるようにすることが考えられるが、その場合、ウェットスーツを着たり脱いだりするときの開口部分が小さくなり、スーツ着脱性が著しく損なわれる。
【０００５】
背中部縦中央線に沿った位置にファスナーを位置させている通常タイプのものは、背中部に対するデザインの自由度が高く、ファスナーのスライダー操作性やスーツ着脱性の面でも上述のタイプのものより有利であって広く普及しているが、襟口部の後端の位置にファスナーが達していることによる首周りの締付感を解消できないのが現状であった。
そこで本発明は上記事情に鑑み、背中部縦中心線位置に沿ってファスナーを位置させる有用性を考慮しながら、ウェットスーツ着用時の首周りの締付感を提携することを課題とし、使い勝手のよいウェットスーツを提供することを目的とする。
【０００６】
【課題を解決するための手段】
本発明は上記課題を考慮してなされたもので、背中下部中央から襟口部に亘って一条のファスナーからなる開閉装置を備えたウェットスーツにおいて、前記開閉装置は、背中下部中央から背中部縦中心線位置に沿って襟口部側に向けてファスナーの配設形状を直線状とした直線状部と、ファスナーの配設形状を、前記直線状部に連続して襟口部の後中央位置から右又は左に偏倚した位置にして襟口部に達するように湾曲する形状とした湾曲部とからなり、開閉装置の前記直線状部の上端位置から襟口部の後中央位置に亘る首後下部に、ウェットスーツ素材が位置してなる伸縮自在領域を配し、前記襟口部に沿う襟帯部の端部の内、襟口部の後中央位置を経て前記開閉装置の上端位置に達する側の端部を前記首後下部とともに首周り方向に延長し、該延長部を襟帯部の他方の端部に止着可能にしたことを特徴とするウェットスーツを提供して、上記課題を解消するものである。
【０００７】
【発明の実施の形態】
つぎに本発明を図１から図３に示す実施の形態に基づいて詳細に説明する。
図中１はウェットスーツで、該ウェットスーツ１の背中部２には、背中下部３の中央から襟口部４に亘って一条のファスナー５を配した開閉装置６が設けられている。そして、前記開閉装置６のファスナー５は、従来のウェットスーツにおけるファスナーのように背中下部３の中央から背中部縦中央線に沿ってそのまま襟口部４の後中央位置４ａに達しているものではなく、途中から湾曲した状態で配設されているものである。
【０００８】
図示するように、このファスナー５は直線状部７とこの直線状部７の上端７ａ（ファスナー全体としては途中位置）に連続している湾曲部８とから構成されていて、前記直線状部７は、その下端７ｂ（即ち、ファスナー５の下端）が背中下部３の中央に位置し、この背中下部３の中央から背中部縦中心線Ａの位置に沿って襟口部４側に向けて配設形状を直線状としている。
湾曲部８は、ファスナーの配設形状を、前記直線状部７の上端７ａに連続し、そして襟口部４の後中央位置４ａから右（背部から見て右）の肩側に偏倚した位置４ｂで襟口部４に達するように湾曲した形状としている。
【０００９】
上記開閉装置６において直線状部７と湾曲部８との連続部分はこのウェットスーツ１を着用したときの着用者の肩甲骨に対応する高さ位置辺りに設定されており、直線状部７は背中下部３から肩甲骨間に対応する高さ位置までに亘って配され、湾曲部８に比べて長く設定されている。
このように開閉装置６では背中下部３からファスナー５の直線状部７が長く設けられているので、ウェットスーツ１の腕部分に両腕を通してからファスナー５のスライダーを、このスライダーに取付けられたストラップを用いながら真上に引き上げるようにしたとき、左右に分かれている背中部２それぞれは若干後方に捲れた状態となる可能性があるが大きく捲れ下がることはなく、従来のウェットスーツと同様に少し捲れた状態にとどまり、ファスナーの歯列それぞれが鋭角に折れ曲がることがない。そのため、スライダーの引き上げ操作には抵抗が生じず、スムーズに直線状部７を閉じることができる。
【００１０】
また、開閉装置６のファスナー５における湾曲部８は上述のように肩甲骨間に対応する高さ位置から襟口部４の左肩側の位置４ｂに達するように湾曲していて、上記直線状部７の上端７ａの位置から襟口部４の後中央位置４ａに亘る首後下部９に、ウェットスーツ素材が位置してなる伸縮自在領域を配している。
このようにファスナー５の直線状部７の背中部縦中央線に沿った延長線が通ることになる上記首後下部９を伸縮自在領域としているため、このウェットスーツ１を着用した状態で前かがみ姿勢や中腰姿勢をとったときには首後下部９が延びるようになり、襟口部４に大きな応力が集中しないようになり、着用者の首を強く圧迫することがなくなる。
【００１１】
さらに本ウェットスーツ１では、開閉装置６のファスナー５が閉じられたときに周回りに連続することになる上記襟口部４に沿って襟帯部１０が設けられている。この襟帯部１０は襟口部４のファスナー５の上端が達している位置４ｂに対応する部分で分離できるように設けられており、そして、襟帯部１０の端部の内、襟口部４の後中央位置４ａを経て前記位置４ｂに達する側の端部を首周り方向に延長し、その延長部１１を襟帯部１０の他方の端部に面ファスナーなどの手段を介して止着できるように設けられている。さらに上記首後下部９もファスナー５の湾曲部８を覆うようにしながら前記延長部１１と一体となった状態で首周り方向に向けて延長している。
このようにファスナー５の湾曲部８が湾曲する方向に合わせるようにして襟帯部１０の一方の端部を延長しているので、着用者が一方の手でその延長部１１を引張りながら他方の手でファスナー５のスライダーを引き上げるようにすれば、湾曲部８においてもスライダーがスムーズに移動するようになり、開閉装置を閉じる操作が簡単に行える。
【００１２】
なお、上記実施の例では襟口部に対してファスナーが達する位置を右側に偏倚させたが、勿論、左側に偏倚させるようにしてもよい。
【００１３】
【発明の効果】
以上説明したように本発明のウェットスーツによれば、背中下部中央から襟口部に亘って一条のファスナーからなる開閉装置を備えたものであって、前記開閉装置は、背中下部中央から背中部縦中心線位置に沿って襟口部側に向けてファスナーの配設形状を直線状とした直線状部と、ファスナーの配設形状を、前記直線状部に連続して襟口部の後中央位置から右又は左に偏倚した位置にして襟口部に達するように湾曲する形状とした湾曲部とからなり、開閉装置の前記直線状部の上端位置から襟口部の後中央位置に亘る首後下部に、ウェットスーツ素材が位置してなる伸縮自在領域を配し、前記襟口部に沿う襟帯部の端部の内、襟口部の後中央位置を経て前記開閉装置の上端位置に達する側の端部を前記首後下部とともに首周り方向に延長し、該延長部を襟帯部の他方の端部に止着可能にしたことを特徴とするものである。
このように容易に着たり脱いだりするための広い開口部分を形成できる開閉装置６を背中部２に有しているとともに、襟口部の後中央位置を経る襟帯部の延長部を首周り方向に延長しているので、開閉装置を閉じる際に前記延長部を引張りながらファスナーを閉じることで、湾曲部においても閉鎖操作がスムーズとなり、よってこの開閉装置６を閉じる操作がスムーズに行えるものとなる。
そして首後下部が伸縮自在であるため、ウェットスーツを着用して前かがみ姿勢や中腰姿勢をとったとしても着用者の首周りに対する締付感が大幅に低減されたものとなる。そして、背中部においてファスナーがほぼ縦方向に配される形態となるため、その背中部のデザインを上下に分断すること長く、デザインの自由度を高く保つことができるなど、実用性に優れた効果を奏するものである。
【図面の簡単な説明】
【図１】本発明に係るウェットスーツの一例を示す説明図である。
【図２】一例における開閉装置の閉時状態を示す説明図である。
【図３】一例における開閉装置の開時状態を示す説明図である。
【符号の説明】
１…ウェットスーツ
２…背中部
３…背中下部
４…襟口部
４ａ…襟口部の後中央位置
４ｂ…偏倚位置
５…ファスナー
６…開閉装置
７…直線状部
８…湾曲部
９…首後下部
１０…襟帯部
１１…延長部
【図１】
2004114776.tif 000003
【図２】
2004114776.tif 000004
【図３】
2004114776.tif 000005